(57)【要約】  捜索対象に装着する要請発信装置であって、捜索対象とされていることを示す捜索信号を受信したときに、自身の捜索を要請するための要請信号を発信するように構成される要請発信装置と、前記要請発信装置が発信した前記要請信号を受信可能な１つ以上の要請受信装置と、該要請受信装置に接続される報知装置であって、前記要請受信装置が前記要請信号を受信したときに該要請信号の発信元の要請発信装置を捜索するための情報を知らせる報知装置と、を備える。
2019186700.tif 000002
【特許請求の範囲】
【請求項１】
捜索対象に装着する要請発信装置であって、捜索対象とされていることを示す捜索信号を受信したときに、自身の捜索を要請するための要請信号を発信するように構成される要請発信装置と、
前記要請発信装置が発信した前記要請信号を受信可能な１つ以上の要請受信装置と、
該要請受信装置に接続される報知装置であって、前記要請受信装置が前記要請信号を受信したときに該要請信号の発信元の要請発信装置を捜索するための情報を知らせる報知装置と、を備える
捜索要請システム。
【請求項２】
前記要請受信装置を複数備え、
前記報知装置は、前記複数の要請受信装置のそれぞれに対して個別に設けられ、
前記要請受信装置は、前記要請発信装置から受信した前記要請信号を、別の要請受信装置に伝送する要請信号伝送手段を有するように構成される、
請求項１に記載の捜索要請システム。
【請求項３】
捜索対象に装着する要請発信装置において、
捜索の対象とされていることを示す捜索信号を受信する捜索信号受信手段と、
前記捜索信号受信手段が前記捜索信号を受信したときに、捜索対象とされている要請発信装置を捜索するための情報を知らせる報知装置に接続されている要請受信装置に対して捜索を要請するための要請信号を発信する捜索要請手段とを有する、
要請発信装置。
【請求項４】
捜索対象に装着され且つ捜索の対象とされていることを示す捜索信号を受信した要請発信装置が発信した捜索を要請するための要請信号を受信する要請受信手段と、
該要請受信手段が要請信号を受信したときに、前記要請信号を発信した前記要請発信装置を捜索するための情報を知らせる報知装置に対して前記要請信号の発信元の要請発信装置を捜索するための情報を送信する捜索情報送信手段とを有する、
要請受信装置。
【発明の詳細な説明】
【技術分野】
【０００１】
本発明は、人や物品等（以下、捜索対象と称する）の捜索を要請するための捜索要請システム、及び該捜索要請システムを構成するための要請発信装置、及び要請受信装置に関する。
【背景技術】
【０００２】
かかる捜索要請システムとして、例えば特許文献１に示されているような、探索要請を受けて人等の移動体を探索する移動体探索装置と、移動体が所有する移動端末と、探索者（探索を協力する探索協力者）が所有する探索協力者側端末装置とを備えるシステムが知られている。【０００３】
移動体探索装置は、探索対象とする移動体が所有している移動端末の位置情報を検出する移動端末位置情報検出手段と、探索協力者の位置に関する情報を記憶している探索協力者位置情報記憶手段と、移動端末位置情報検出手段で検出した移動端末の位置情報と探索協力者位置情報記憶手段で記憶している探索協力者の位置情報とに基づいて移動端末に最も近い探索協力者側端末装置を抽出する探索協力者情報抽出手段とを有する。【０００４】
上記構成のシステムでは、移動体探索装置が探索協力者情報抽出手段によって移動端末（すなわち、探索対象である移動体）に最も近い探索協力者に関する情報が抽出されるため、探索依頼者は、該探索協力者に関する情報を基にして探索協力者に探索協力を要請することができるようになっている。【０００５】
ところで、上記従来のシステムの移動体探索装置は、移動端末位置情報検出手段で移動端末の位置情報を検出した後に、探索協力者情報抽出手段が該位置情報を利用して移動端末に最も近い探索協力者側端末装置（探索協力者）に関する情報を抽出するように構成されているため、探索対象の位置を検出してから探索協力者を抽出するまでの間にタイムラグが生じることがある。【０００６】
この場合、探索依頼者が探索協力者に関する情報を得る頃には、探索対象が探索協力者情報抽出手段で抽出した探索協力者から既に離れてしまっていることがある。そのため、上記従来のシステムでは、探索協力者に探索協力を要請しても探索対象を直ちに発見できないことがあった。
【先行技術文献】
【特許文献】
【０００７】
【特許文献１】日本国特開平２００３−２９６８９３号公報
【発明の概要】
【発明が解決しようとする課題】
【０００８】
そこで、本発明は、かかる実情に鑑み、捜索対象の最寄りの人に捜索を要請し易くすることができる捜索要請システム、該捜索要請システムを構成する要請発信装置、及び要請受信装置を提供することを課題とする。
【課題を解決するための手段】
【０００９】
本発明の捜索要請システムは、
捜索対象に装着する要請発信装置であって、捜索対象とされていることを示す捜索信号を受信したときに、自身の捜索を要請するための要請信号を発信するように構成される要請発信装置と、
前記要請発信装置が発信した前記要請信号を受信可能な１つ以上の要請受信装置と、
該要請受信装置に接続される報知装置であって、前記要請受信装置が前記要請信号を受信したときに該要請信号の発信元の要請発信装置を捜索するための情報を知らせる報知装置と、を備える。【００１０】
本発明の捜索要請システムは、
前記要請受信装置を複数備え、
前記報知装置は、前記複数の要請受信装置のそれぞれに対して個別に設けられ、
前記要請受信装置は、前記要請発信装置から受信した前記要請信号を、別の要請受信装置に伝送する要請信号伝送手段を有するように構成されていてもよい。【００１１】
本発明の要請発信装置は、
捜索対象に装着する要請発信装置において、
捜索の対象とされていることを示す捜索信号を受信する捜索信号受信手段と、
前記捜索信号受信手段が前記捜索信号を受信したときに、捜索対象とされている要請発信装置を捜索するための情報を知らせる報知装置に接続されている要請受信装置に対して捜索を要請するための要請信号を発信する捜索要請手段とを有する。【００１２】
本発明の要請受信装置は、
捜索対象に装着され且つ捜索の対象とされていることを示す捜索信号を受信した要請発信装置が発信した捜索を要請するための要請信号を受信する要請受信手段と、
該要請受信手段が要請信号を受信したときに、前記要請信号を発信した前記要請発信装置を捜索するための情報を知らせる報知装置に対して前記要請信号の発信元の要請発信装置を捜索するための情報を送信する捜索情報送信手段とを有する。
【図面の簡単な説明】
【００１３】
【図１】図１は、本発明の一実施形態に係る捜索要請システムの概要図である。
【図２】図２は、同実施形態に係る捜索要請システムの機能ブロック図である。
【図３】図３は、管理装置の装置管理情報のデータ構造の説明図である。
【図４】図４は、同実施形態に係る捜索要請システムのシーケンス図である。
【発明を実施するための形態】
【００１４】
以下、本発明の一実施形態に係る捜索要請システムについて、添付図面を参照しつつ説明する。なお、捜索要請システムは、人や物品等の捜索対象の捜索を要請するように構成されており、本実施形態では、人（例えば、行方不明者や、迷子、徘徊者等）を捜索対象としている。
【００１５】
捜索要請システム１は、図１に示すように、捜索依頼者が所有する捜索依頼者端末２と、捜索依頼者端末２からの捜索依頼を受け付けて捜索を開始する管理装置３と、捜索対象に装着する要請発信装置４と、捜索対象を捜索する捜索エリア内で互いに離れた位置に設置されている複数の要請受信装置５と、要請受信装置５に接続された報知装置６と、を備えている。
【００１６】
捜索依頼者端末２は、図２に示すように、捜索依頼として、捜索対象を捜索する旨を示す捜索依頼情報を管理装置３に送信する捜索依頼手段２０を備えている。本実施形態において、捜索対象とは、要請発信装置４を所持している（身に付けている）人のことである。
【００１７】
捜索依頼手段は、捜索対象に装着している要請発信装置４を示す情報を捜索依頼情報に含めて送信するように構成されていればよい。
【００１８】
捜索依頼者端末２は、例えば、パソコンやスマートフォン等のような、情報を記憶するための記憶装置と、外部の機器と通信するための通信装置と、情報の処理や、構成要素（記憶装置や、通信装置等）の制御を行うための制御装置とを備えるコンピュータで構成されていればよい。
【００１９】
管理装置３は、捜索依頼者端末２から捜索依頼情報を受信する受付手段３０と、該受付手段３０が受信した捜索依頼情報が示す要請発信装置４に捜索対象としている旨を示す捜索信号を送信する捜索信号送信手段３１と、を備えている。
【００２０】
また、管理装置３は、図３に示すように、要請発信装置４に関する情報（装置管理情報）３２を有する。
【００２１】
装置管理情報３２には、要請発信装置４の固有の情報が管理用識別情報３２０として含まれている。そして、管理用識別情報３２０には、要請発信装置４を装着している捜索対象の特徴を表すプロフィール情報３２１が関連付けられている。
【００２２】
プロフィール情報３２１には、捜索対象の特徴を示す情報（すなわち、捜索対象を割り出すことができる情報）が設定されている。本実施形態では、捜索対象が人であるため、プロフィール情報３２１には、要請発信装置４の所有者の氏名や年齢等の個人情報や、身長、体重、服装等の外見的特徴を示す情報が設定されていればよい。
【００２３】
捜索信号送信手段３１は、捜索依頼者端末２から捜索依頼情報を受信した際に、捜索対象に対して捜索の対象とされていることを示す捜索信号を送信する。なお、捜索信号送信手段３１は、捜索依頼情報が示す要請発信装置４と合致する管理用識別情報３２０と、該管理用識別情報３２０に関連付けられているプロフィール情報３２１とを含む捜索信号を構成する受付処理を実行するように構成されている。
【００２４】
管理装置３は、例えば、パソコン等のように、情報を記憶するための記憶装置と、外部の機器と通信するための通信装置と、情報の処理や、構成要素（記憶装置や、通信装置等）の制御を行うための制御装置とを備えるコンピュータで構成されていればよい。
【００２５】
要請発信装置４は、図２に示すように、管理装置３から捜索信号を受信する捜索信号受信手段４０と、該捜索信号受信手段４０が捜索信号を受信したときに、自身の捜索を要請するための要請信号を発信する要請信号発信手段４１と、を備えている。
【００２６】
要請信号発信手段４１は、最も近い要請受信装置５に要請信号を送信するように構成されていてもよいし、所定のエリア内に要請信号を発信するように構成されていてもよい。なお、要請信号発信手段４１が所定のエリア内に要請信号を発信するように構成されている場合は、所定のエリア内に存在する複数の要請受信装置５のそれぞれに対して要請信号が送信されることになる。
【００２７】
要請発信装置４は、情報を記憶するための記憶装置と、外部の機器と通信するための通信装置と、情報の処理や、構成要素（記憶装置や、通信装置等）の制御を行うための制御装置とを備えていればよく、例えば、スマートフォンや、タブレット、タグ等の携帯電子機器で構成されていればよい。
【００２８】
また、要請発信装置４は、捜索対象者が持ち歩くものであってもよいし、捜索対象者の身体に取り付けるものであってもよい。
【００２９】
要請受信装置５は、上述のように、捜索対象を捜索するエリア内で互いに離れた位置に設置されているため、要請発信装置４が捜索エリア内に入ると、該要請発信装置４の周囲には、複数の要請受信装置５が設置されている状況になる。
【００３０】
要請受信装置５は、要請発信装置４から要請信号を受信する要請信号受信手段５０と、  該要請信号受信手段５０が要請信号を受信した際に、要請信号の発信元となる要請発信装置４（すなわち、捜索対象とされている要請発信装置４）に関する捜索情報を送信する捜索情報送信手段５１と、要請信号受信手段５０で受信した要請信号を別の要請受信装置５に伝送するための要請信号伝送手段５２と、を備えている。
【００３１】
捜索情報送信手段５１は、要請信号受信手段５０が受信した要請信号に含まれているプロフィール情報３２１に基づいて捜索情報を作成するように構成されている。
【００３２】
要請信号伝送手段５２は、伝送路上における最寄りの要請受信装置５に要請信号を伝送するように構成されていればよい。なお、要請受信装置５から別の要請受信装置５へと要請信号を伝える回数は、捜索エリアの広さ等に応じて適宜設定すればよい。
【００３３】
なお、要請受信装置５は、例えば、スマートメーターで構成されていればよい。
【００３４】
報知装置６は、要請受信装置５（捜索情報送信手段５１）が送信した捜索情報を受信する捜索情報受信手段６０と、該捜索情報受信手段６０が捜索情報を受信したときに、捜索の対象とされている要請発信装置４に関する情報を知らせる報知手段６１と、を備えている。
【００３５】
報知手段６１は、捜索情報受信手段６０が受信した捜索情報に基づいて要請発信装置４に関する情報を知らせる。
【００３６】
報知装置６は、例えば、外部の機器と通信を行う通信装置と、通信装置を介して受信した情報を出力する出力装置とを備えるように構成されていればよい。また、要請発信装置４に関する情報は、出力装置を通じて周囲の人に知らせるように構成されていればよい。なお、報知装置６は、例えば、スマートメーターに接続されたＨＥＭＳ（Ｈｏｍｅ  Ｅｎｅｒｇｙ  Ｍａｎａｇｅｍｅｎｔ  Ｓｙｓｔｅｍ）で構成されていればよい。
【００３７】
本実施形態に係る捜索要請システム１の構成は、以上の通りである。続いて、捜索要請システム１の動作について、添付図面を参照しつつ説明を行うこととする。
【００３８】
捜索要請システム１では、図４に示すように、捜索依頼者が捜索依頼者端末２を介して管理装置３に捜索依頼情報を送信する（Ｓ１）。
【００３９】
管理装置３は、捜索依頼情報を受信すると（Ｓ２）、受付処理を実行し、捜索依頼情報が示す要請発信装置４の管理用識別情報３２０と、該管理用識別情報３２０に関連付けられているプロフィール情報３２１とを含む捜索信号を構成する。そして、捜索信号送信手段３１が、かかる捜索信号を要請発信装置４（管理用識別情報３２０が示す要請発信装置４）に送信する（Ｓ３）。
【００４０】
要請発信装置４は、捜索信号受信手段４０で捜索信号を受信すると（Ｓ４）、要請信号発信手段４１により要請信号を周囲に発信する（Ｓ５）。
【００４１】
要請受信装置５は、要請発信装置４から発信された要請信号を要請信号受信手段５０で受信すると（Ｓ６）、捜索情報送信手段５１により、捜索情報を報知装置６に送信する（Ｓ７）。
【００４２】
報知装置６は、捜索情報受信手段６０で捜索情報を受信すると（Ｓ８）、報知手段６１が該捜索情報に基づいて捜索の対象とされている要請発信装置４に関する情報を知らせる（Ｓ９）。
【００４３】
このようにして、捜索対象付近の人に、該捜索対象を捜索するための情報を知らせることができる。
【００４４】
以上のように、本実施形態に係る捜索要請システムによれば、捜索対象に装着する要請発信装置４が、捜索信号を受信した際に捜索を要請するための要請信号を自ら発信するように構成されているため、要請発信装置４が発信した要請信号を要請受信装置５で直ちに受信することができ、さらに、報知装置６によって、該要請信号の発信元となる要請発信装置４を捜索するための情報を知らせることができる。
【００４５】
このように、捜索要請システムは、要請発信装置４が要請信号を発信したとき、すなわち、捜索を要請したときに、該要請発信装置４（捜索対象）を捜索するための情報をすぐに付近の人に知らせることができる。
【００４６】
また、要請受信装置５は、要請発信装置４から受信した要請信号を、別の要請受信装置５に伝送する要請信号伝送手段５２を有するように構成されていているため、要請発信装置４から要請信号を受信した要請受信装置５から、別の要請受信装置５へと要請信号を伝送するとともに、各要請受信装置５に対して設けられている報知手段６１で要請発信装置４（捜索対象）を捜索するための情報を知らせることができるため、捜索を要請する範囲を広げることができる。
【００４７】
そして、本実施形態に係る要請発信装置４によれば、捜索対象とされていることを示す捜索信号を受信したときに、捜索を要請するための要請信号を報知装置６に接続されている要請受信装置５に対して自ら発信するように構成されているため、捜索の要請を付近の人にすぐに知らせることができる。
【００４８】
また、本実施形態に係る要請受信装置５によれば、要請受信手段が捜索信号を受信した要請発信装置４が自ら発信した要請信号を受信したときに、捜索情報送信手段５１が報知装置６に対して要請信号の発信元の要請発信装置４を捜索するための情報を送信するため、要請発信装置４（捜索対象）の捜索の要請を付近の人にすぐに知らせることができる。
【００４９】
以上のように、本実施形態に係る捜索要請システム、及び該捜索要請システムを構成する要請発信装置４、要請受信装置５によれば、捜索対象の最寄りの人に捜索を要請し易くすることができるという優れた効果を奏し得る。
【００５０】
なお、本発明の探索要請システムは、上記一実施形態に限定されるものではなく、本発明の要旨を逸脱しない範囲において種々変更を行うことは勿論である。
【００５１】
上記実施形態では、捜索対象を人としていたが、例えば、捜索対象は、ペット等の動物や、自転車や車等の物品であってもよい。すなわち、要請発信装置４は、人以外の動物や、物品に装着するように構成されていれてもよい。
【００５２】
上記実施形態において、特に言及しなかったが、報知装置６は、捜索対象を発見した旨を捜索依頼者端末２に知らせる、発見通知手段を有するように構成されていてもよい。この発見通知手段は、例えば、捜索対象を発見した旨を示す発見情報を入力可能であり、入力された発見情報を捜索依頼者端末２に送信するように構成されていればよい。なお、発見通知手段は、要請受信装置５及び管理装置３を通じて発見情報を捜索依頼者端末２に送信するように構成されていてもよいし、捜索依頼者端末２に直接的に発見情報を送信するように構成されていてもよい。
【符号の説明】
【００５３】
１…捜索要請システム、２…捜索依頼者端末、３…管理装置、４…要請発信装置、５…要請受信装置、６…報知装置、３０…受付手段、３１…捜索信号送信手段、４０…捜索信号受信手段、４１…要請信号発信手段、５０…要請信号受信手段、５１…捜索情報送信手段、５２…要請信号伝送手段、６０…捜索情報受信手段、６１…報知手段、３２０…管理用識別情報、３２１…プロフィール情報  
【図１】
2019186700.tif 000003
【図２】
2019186700.tif 000004
【図３】
2019186700.tif 000005
【図４】
2019186700.tif 000006
【手続補正書】
【提出日】平成30年11月13日(2018.11.13)
【手続補正１】
【補正対象書類名】特許請求の範囲
【補正対象項目名】全文
【補正方法】変更
【補正の内容】
【特許請求の範囲】
【請求項１】
捜索対象に装着する要請発信装置であって、捜索対象とされていることを示す捜索信号を受信したときに、自身の捜索を要請するための要請信号を発信するように構成される要請発信装置と、
前記要請発信装置が発信した前記要請信号を受信可能な１つ以上の要請受信装置と、
該要請受信装置に接続される報知装置であって、前記要請受信装置が前記要請信号を受信したときに該要請信号の発信元の要請発信装置を捜索するための情報を知らせる報知装置と、を備え、
前記要請受信装置を複数備え、
前記報知装置は、前記複数の要請受信装置のそれぞれに対して個別に設けられ、
前記要請受信装置は、前記要請発信装置から受信した前記要請信号を、別の要請受信装置に伝送する要請信号伝送手段を有するように構成され、
前記報知装置は、接続されている前記要請受信装置が別の前記要請受信装置の前記要請信号伝送手段から伝送された要請信号を受信したときにも該要請信号の発信元の要請発信装置を捜索するための情報を知らせるように構成される、
捜索要請システム。
【請求項２】
探索対象に装着され且つ捜索の対象とされていることを示す捜索信号を受信した要請発信装置が発信した捜索を要請するための要請信号を受信する要請受信手段と、
該要請受信手段が要請信号を受信したときに、前記要請信号を発信した前記要請発信装置を探索するための情報を知らせる報知装置に対して前記要請信号の発信元の要請発信装置を捜索するための情報を送信する捜索情報送信手段と、
前記要請受信手段で受信した前記要請信号を、別の要請受信装置に伝送する要請信号伝送手段とを有し、
別の前記要請受信装置の前記要請信号伝送手段から前記要請信号が伝送されたときにも、前記捜索情報送信手段が該要請信号の発信元の要請発信装置を捜索するための情報を前記報知装置に知らせるように構成される、
要請受信装置。
【手続補正３】
【補正対象書類名】明細書
【補正対象項目名】０００１
【補正方法】変更
【補正の内容】
【０００１】
本発明は、人や物品等（以下、捜索対象と称する）の捜索を要請するための捜索要請システム、及び該捜索要請システムを構成するための要請受信装置に関する。
【手続補正４】
【補正対象書類名】明細書
【補正対象項目名】０００８
【補正方法】変更
【補正の内容】
【０００８】
そこで、本発明は、かかる実情に鑑み、捜索対象の最寄りの人に捜索を要請し易くすることができる捜索要請システム、該捜索要請システムを構成する要請受信装置を提供することを課題とする。
【手続補正５】
【補正対象書類名】明細書
【補正対象項目名】０００９
【補正方法】変更
【補正の内容】
【０００９】
本発明の捜索要請システムは、
捜索対象に装着する要請発信装置であって、捜索対象とされていることを示す捜索信号を受信したときに、自身の捜索を要請するための要請信号を発信するように構成される要請発信装置と、
前記要請発信装置が発信した前記要請信号を受信可能な１つ以上の要請受信装置と、
該要請受信装置に接続される報知装置であって、前記要請受信装置が前記要請信号を受信したときに該要請信号の発信元の要請発信装置を捜索するための情報を知らせる報知装置と、を備え、
前記要請受信装置を複数備え、
前記報知装置は、前記複数の要請受信装置のそれぞれに対して個別に設けられ、
前記要請受信装置は、前記要請発信装置から受信した前記要請信号を、別の要請受信装置に伝送する要請信号伝送手段を有するように構成され、
前記報知装置は、接続されている前記要請受信装置が別の前記要請受信装置の前記要請信号伝送手段から伝送された要請信号を受信したときにも該要請信号の発信元の要請発信装置を捜索するための情報を知らせるように構成される。
【手続補正６】
【補正対象書類名】明細書
【補正対象項目名】００１０
【補正方法】削除
【補正の内容】
【手続補正７】
【補正対象書類名】明細書
【補正対象項目名】００１１
【補正方法】削除
【補正の内容】
【手続補正８】
【補正対象書類名】明細書
【補正対象項目名】００１２
【補正方法】変更
【補正の内容】
【００１２】
本発明の要請受信装置は、
探索対象に装着され且つ捜索の対象とされていることを示す捜索信号を受信した要請発信装置が発信した捜索を要請するための要請信号を受信する要請受信手段と、
該要請受信手段が要請信号を受信したときに、前記要請信号を発信した前記要請発信装置を探索するための情報を知らせる報知装置に対して前記要請信号の発信元の要請発信装置を捜索するための情報を送信する捜索情報送信手段と、
前記要請受信手段で受信した前記要請信号を、別の要請受信装置に伝送する要請信号伝送手段とを有し、
別の前記要請受信装置の前記要請信号伝送手段から前記要請信号が伝送されたときにも、前記捜索情報送信手段が該要請信号の発信元の要請発信装置を捜索するための情報を前記報知装置に知らせるように構成される。
【国際調査報告】
2019186700.tif 000007
2019186700.tif 000008